(57)【要約】      （修正有）【課題】ソケット型のコネクタのプラグ挿入用空間内に相手方コネクタをスムーズに挿入嵌合できるようにして、作業性の向上と挿入嵌合時にできる損傷を無くす。【解決手段】前面側に挿入口１６を設けて角筒状に形成された金属製のシールドケース１３と、該シールドケース１３に囲まれたプラグ挿入用空間１７内に後方から前方に向かって突設された平面板部２４を有してシールドケース１３の後面側に取り付けられた絶縁性の基部１４と、一端側の接点部１５ａを絶縁平面板部２４上に配置するとともに、他端側の端子部１５ｂを基部１４の後部外側に引き出されて成る複数の導電性のコンタクト１５とを備え、挿入口１６よりプラグ挿入用空間１７内にプラグ型コネクタ１２が挿入嵌合されるソケット型のコネクタ１１において、シールドケース１３の挿入口１６に、プラグ型のコネクタ１２をプラグ挿入用空間１７内に向かってガイドする外方へ拡開する傾斜面１９を設けた。【選択図】図１
2008059858.tif 000002
【特許請求の範囲】
【請求項１】
前面側に挿入口を設けて角筒状に形成された金属製のシールドケースと、前記シールドケースに囲まれたプラグ挿入用空間内に後方から前方に向かって突設された平面板部を有して前記シールドケースの後面側に取り付けられた絶縁性の基部と、一端側の接点部が前記絶縁平面板部上に配置され、他端側の端子部が前記基部の後部外側に引き出されてなる複数の導電性のコンタクトとを備え、前記挿入口より前記プラグ挿入用空間内にプラグ型のコネクタが挿入嵌合されるソケット型のコネクタにおいて、
前記シールドケースの前記挿入口に、前記プラグ型のコネクタを前記プラグ挿入用空間内に向かってガイドする外方へ向かって拡開する傾斜面を設けたことを特徴とするコネクタ。
【請求項２】
上記傾斜面は、略四角形状の前記挿入口の各辺に設けたことを特徴とする請求項１記載のコネクタ。
【請求項３】
上記傾斜面は、上記プラグ挿入用空間を形成している上記シールドケースの各側面をそれぞれ基準にして５５度乃至６５度、外方へ向かって傾斜していることを特徴とする請求項１または２に記載のコネクタ。
【発明の詳細な説明】
【技術分野】
【０００１】
本発明はコネクタに関するものであり、特にソケット型のコネクタのプラグ挿入用空間内にプラグ型のコネクタをスムーズに挿入嵌合できるようにしたコネクタに関するものである。
【背景技術】
【０００２】
従来、コネクタの構造において、ソケット型のコネクタとプラグ型のコネクタとを互いに組み合わせてなるコネクタの構造は数多く知られている（例えば、特許文献１参照）。
【０００３】
一般に、ソケット型コネクタとプラグ型コネクタとを組み合わせてなるコネクタの構造は、図６に示すように、ソケット型コネクタ１に、該ソケット型コネクタ１の前面に挿入口２が開口しているプラグ挿入用空間３を設け、該プラグ挿入用空間３内にプラグ型コネクタ４を挿入口２から挿入嵌合させる構造になっている。このコネクタ構造では、ソケット型コネクタ１における挿入口２の口径サイズとプラグ型コネクタ４におけるプラグ部５のサイズとが略同サイズに形成されている。
【０００４】
したがって、ソケット型コネクタ１の中心軸線Ｓ１とコネクタ４の中心軸線Ｓ２とが一致せずに、図６に示すように、中心軸線Ｓ１およびＳ２がずれた状態で挿入嵌合しようとすれば、同図中に符号Ｂで示す部分において、プラグ型コネクタ４のプラグ部５の先端部分前面がソケット型コネクタ１の挿入口２の周縁部前面と衝突し、スムーズな挿入が阻害されるという問題が発生する。また、ソケット型コネクタ１の中心軸線Ｓ１とコネクタ４の中心軸線Ｓ２の向き（角度）が互いにずれている場合でも、先端部同士が衝突し合い、挿入動作がスムーズに行われない問題が生じていた。
【特許文献１】特開平８−１３００５２号公報）。
【発明の開示】
【発明が解決しようとする課題】
【０００５】
上述したように、従来のコネクタの構造は、ソケット型コネクタ１の中心軸線Ｓ１とプラグ型のコネクタの中心軸線Ｓ２との位置および向きがずれた状態で挿入嵌合されようとする場合、プラグ型コネクタ４におけるプラグ部５の先端部前面がソケット型コネクタ１における挿入口２の周縁部前面と衝突して該プラグ型コネクタ４の挿入ができなくなる。このため、ソケット型コネクタ１の中心軸線Ｓ１とコネクタ４の中心軸線Ｓ２の位置および向きをそれぞれ一致させた状態で挿入嵌合させなければならないので、挿入作業に時間がかかり、特に狭い場所で、かつ、手探りで作業を実行する場合には、スムーズに作業が施行できず、かつ、多くの時間を費やするという問題があった。また、先端部同士が一致していない状態で、互いのコネクタを無理に押し付けると、先端部分同士が損傷するという欠陥が生じる可能性がある。
【０００６】
そこで、ソケット型コネクタのプラグ挿入用空間内にプラグ型コネクタをスムーズに挿入嵌合できるようにして、作業性の向上および挿入嵌合時にできる損傷等のダメージを無くすようにするために解決すべき技術的課題が生じてくるのであり、本発明はこの課題を解決することを目的とする。
【課題を解決するための手段】
【０００７】
本発明は上記目的を達成するために提案されたものであり、請求項１記載の発明は、前面側に挿入口を設けて角筒状に形成された金属製のシールドケースと、前記シールドケースに囲まれたプラグ挿入用空間内に後方から前方に向かって突設された平面板部を有して
前記シールドケースの後面側に取り付けられた絶縁性の基部と、一端側の接点部が前記絶縁平面板部上に配置され、他端側の端子部が前記基部の後部外側に引き出されてなる複数の導電性のコンタクトとを備え、前記挿入口より前記プラグ挿入用空間内にプラグ型のコネクタが挿入嵌合されるソケット型のコネクタにおいて、前記シールドケースの前記挿入口に、前記プラグ型のコネクタを前記プラグ挿入用空間内に向かってガイドする外方へ向かって拡開する傾斜面を設けたコネクタを提供する。
【０００８】
この構成によれば、ソケット型のコネクタにおける中心軸線の位置および向きに対して、プラグ型のコネクタにおける中心軸線の位置および向きが多少ずれた状態であっても、プラグ型のコネクタを挿入口へ向けて進めると、該プラグ型のコネクタにおける先端部分は挿入口に設けられている傾斜面と衝突しても、その後、該傾斜面の傾斜でプラグ挿入用空間内へ向けてガイドされ、該プラグ挿入用空間内に挿入嵌合される。
【０００９】
請求項２記載の発明は、請求項１において、上記傾斜面は、略四角形状の前記挿入口の各辺に設けたコネクタを提供する。
【００１０】
この構成によれば、角筒状に形成されている挿入口の各辺に外方へ拡開した傾斜面を設けているので、プラグ型のコネクタにおける中心軸線の位置および向きが上下・左右のいずれの方向にずれていても、該プラグ型のコネクタの挿入時には該プラグ型のコネクタにおける先端部分が傾斜面と接衝し、プラグ挿入用空間内へスムーズに挿入されていく。
【００１１】
請求項３記載の発明は、請求項１または２において、上記傾斜面は、上記プラグ挿入用空間を形成している上記シールドケースの各側面をそれぞれ基準にして５５度乃至６５度、外方へ向かって傾斜しているコネクタを提供する。
【００１２】
この構成によれば、プラグ型のコネクタにおける先端部分が傾斜面と衝突したときにおいても、衝突したコネクタの先端部分をプラグ挿入用空間内へ向かってガイドするのに最適な角度であるところの５５度乃至６５度にて外側に向かって拡開するように傾斜させているので、プラグ型のコネクタにおける先端部分がプラグ挿入用空間内にスムーズに挿入される。
【発明の効果】
【００１３】
請求項１記載の発明は、ソケット型のコネクタにおける中心軸線の位置および向きに対してプラグ型のコネクタにおける中心軸線の位置および向きが多少ずれた状態であっても、プラグ型のコネクタを挿入口へ向けて進めると、該プラグ型のコネクタにおける先端部分は挿入口に設けられている傾斜面に接衝するが、その後、該傾斜面の傾斜でプラグ挿入用空間内へ向かってガイドされ、該プラグ挿入用空間内に挿入嵌合できるので、作業性の向上が図れるとともに、互いのコネクタにおける先端部分の損傷を可及的に低減することができる。
【００１４】
請求項２記載の発明は、角筒状に形成されている挿入口の各辺に傾斜面を設け、プラグ型のコネクタにおける中心軸線の位置および向きが上下・左右のいずれの方向にずれていても、該プラグ型のコネクタの挿入時には該プラグ型のコネクタにおける先端部分が傾斜面と接衝し、その後は該プラグ型のコネクタをプラグ挿入用空間内へスムーズに挿入させることができるので、請求項１記載の発明の効果に加えて、さらに一層作業性の向上に寄与することができる。
【００１５】
請求項３記載の発明は、プラグ型のコネクタにおける先端部分が傾斜面と接衝したとき、該コネクタの先端部分をプラグ挿入用空間内へ向かってガイドするのに最適な角度であるところの５５度乃至６５度にて外側に向かって拡開されるように傾斜させ、プラグ型の
コネクタにおける先端部分が画傾斜面に接衝したらプラグ挿入用空間内にスムーズに挿入されるようにしている。斯くして、請求項１または２記載の発明の効果に加えて、さらに一層の作業性の向上が期待できる。
【発明を実施するための最良の形態】
【００１６】
ソケット型のコネクタのプラグ挿入用空間内にプラグ型コネクタをスムーズに挿入嵌合できるようにして、作業性の向上および挿入嵌合時にできる損傷を無くすようにするという目的を達成するために、前面側に挿入口を設けて角筒状に形成された金属製のシールドケースと、前記シールドケースに囲まれたプラグ挿入用空間内に後方から前方に向かって突設された平面板部を有して前記シールドケースの後面側に取り付けられた絶縁性の基部と、一端側の接点部が前記絶縁平面板部上に配置され、他端側の端子部が前記基部の後部外側に引き出されてなる複数の導電性のコンタクトとを備え、前記挿入口より前記プラグ挿入用空間内にプラグ型のコネクタが挿入嵌合されるソケット型のコネクにおいて、前記シールドケースの前記挿入口に、前記プラグ型のコネクタを前記プラグ挿入用空間内に向かってガイドする外方へ向かって拡開する傾斜面を設けることにより実現した。
【実施例】
【００１７】
以下、本発明のコネクタについて、好適な実施例をあげて説明する。
図１〜図３に示すように、コネクタ装置１０は、ソケット型コネクタ１１と、該ソケット型コネクタ１１に挿入嵌合されるプラグ型コネクタ１２から成る。
【００１８】
ソケット型コネクタ１１は、シールドケース１３と基部１４と複数のコンタクト１５，１５…等により構成されている。なお、図４は、ソケット型コネクタ１１の正面図である。
【００１９】
シールドケース１３は、金属板で形成されており、図３および図４に詳細に示すように、上下の側面１３ａ，１３ｂと左右の側面１３ｃ，１３ｄとで断面略四角形をした角筒状に形成され、前面側に挿入口１６を有するプラグ挿入用空間１７を内部に設けている。また、挿入口１６の周縁には、各側面１３ａ，１３ｂ，１３ｃ，１３ｄからそれぞれ延長し、かつ、外側に向かって拡開するようにして傾倒されているガイド片１８ａ，１８ｂ，１８ｃ，１８ｄを設け、この各ガイド片１８ａ〜１８ｄの内面にプラグ挿入用空間１７内に向かう傾斜面１９が形成されている。
【００２０】
さらに、シールドケース１３の上記上側面１３ａには、幅広の弾性片２０が左右中央部に設けられているとともに、該弾性片２０を挟んだ左右の位置に幅狭の弾性片２１，２１が設けられている。弾性片２０は、プラグ挿入用空間１７に突設した曲がり部２０ａを先端に有し、弾性片２１，２１は、プラグ挿入用空間１７に突設した曲がり部２１ａを有する。一方、上記左右の側面１３ｂ，１３ｄには、下側面１３ｃの一部が切り起こされて断面Ｌ字状に形成されたアース端子片２２，２２が、それぞれ該側面１３ｂ，１３ｄの外側に延ばされた状態にして設けられている。
【００２１】
基部１４は、合成樹脂製の絶縁体で、上記シールドケース１３の後端側の開口を塞いで、該シールドケース１３の後端部分に取り付けられている基部本体２３と、該基部本体２３の内面から先方（挿入口１６）に向かってプラグ挿入用空間１７内に突設された平面板部２４とを一体に有している。また、基部１４の成形時、該基部１４には上記複数のコンタクト１５，１５…が前後方向に延設された状態でインサートされ、そして該基部１４と一体化されている。
【００２２】
上記複数のコンタクト１５，１５…は、図３および図４に示すように、平面板部２４の上側表面において左右方向に並べて配列された上側コンタクト群と、平面板部２４の下側
表面において左右方向に並べて配列された下側コンタクト群とに分けて設けられている。その各コンタクト群における各コンタクト１５，１５…は、一端側の接点部１５ａが平面板部２４の上または下側の表面に露出し、他端側の端子部１５ｂが基部本体２３の後面から外側に導出されている。
【００２３】
上記プラグ型コネクタ１２は、シールドケース２５と基部２６と複数のコンタクト２７，２７…等により構成されている。
【００２４】
シールドケース２５は、金属板で形成されており、上記ソケット型コネクタ１１におけるシールドケース１３の挿入口１６の内面形状とほぼ等しい略四角形の角筒状に形成されており、プラグ挿入用空間１７内に挿入口１６から挿入可能になっている。また、シールドケース２５の左右側面の後端部には、それぞれ後方に向かって延びる左右１対のアース端子２５ａ，２５ａが形成されている。
【００２５】
基部２６は、合成樹脂製の絶縁体で、上記シールドケース１３のプラグ挿入用空間１７内に挿入される基部本体２６ａと、該基部本体２６ａの後端部に設けられている端子基台２６ｂとを一体に有している。また、基部２６の成形時、該基部２６には上記平面板部２４が挿入可能な平面板部挿入用凹部２９を設けるとともに、上記ソケット型コネクタ１１のコンタクト１５，１５…に対応するようにして、上記複数のコンタクト２７，２７が前後方向に延設され、かつ、左右方向に配列され、インサートにて該基部２６と一体化されている。また、端子基台２６ｂには、シールドケース２５のアース端子２５ａ，２５ａが貫通して挿入可能な前後方向に貫通する取付孔２８，２８が設けられている。
【００２６】
上記複数のコンタクト２７，２７…は、図３に示すように、一端側の接点部２７ａが平面板部挿入用凹部２９の上下面から該平面板部挿入用凹部２９内にそれぞれ突出し、他端側の端子部２７ｂが端子基台２６ｂの後面から外側に導出している。
【００２７】
そして、プラグ型コネクタ１２では、シールドケース２５が基部本体２６ａの外周面を囲繞し、かつ、アース端子２５ａ，２５ａが取付孔２８，２８を介して端子基台２６ｂの後面から後方に向かって突出するようにして前記基部２６に装着されている。なお、このプラグ型コネクタ１２は、シールドケース２５が囲繞された基部本体２６ａ側がプラグ部３０に形成されている。
【００２８】
次に、このように構成されたコネクタ１０において、ソケット型コネクタ１１は、配線基板（図示略）上にリード片２２，２２をはんだ付けして固定される。一方、プラグ型コネクタ１２は、ソケット型コネクタ１１に対して抜き差し可能に形成されている。そして、該プラグ型コネクタ１２を前記ソケット型コネクタ１１に差し込む場合は、図２および図３に示すように、ソケット型コネクタ１１の挿入口１６にプラグ型コネクタ１２の先端を向かい合わせ、該プラグ型コネクタ１２をソケット型コネクタ１１に向かって進めると、プラグ部３０が挿入口１６を通ってプラグ挿入用空間１７内に挿入される。また同時に、ソケット型コネクタ１１側の平面板部挿入用凹部２９内に平面板部２４が圧入嵌合され、ソケット型コネクタ１１側のコンタクト１５とプラグ型コネクタ１２側のコンタクト１６とが圧接された状態で、プラグ部３０が挿入口１６を通ってプラグ挿入用空間１７内に挿入嵌合され、ソケット型コネクタ１１に対するプラグ型コネクタ１２の結合が完了する。図１は、ソケット型コネクタ１１に対してプラグ型コネクタ１２の結合が完了した状態を示している。一方、取り外す時には、ソケット型コネクタ１１に対してプラグ型コネクタ１２を引き抜くと、該プラグ型コネクタ１２をソケット型コネクタ１１から取り外すことができる。
【００２９】
また、本実施の形態の構造は、ソケット型コネクタ１１における挿入口１６の周縁各辺
に、ガイド片１８ａ，１８ｂ，１８ｃ，１８ｄを設け、この各ガイド片１８ａ〜１８ｄの内面にプラグ挿入用空間１７内に向かう傾斜面１９を形成しているので、例えば図５に示すようにプラグ型コネクタ１２の中心軸線Ｓ２の向きがソケット型コネクタ１１の中心軸線Ｓ１に対して傾いて多少ずれた状態であっても、あるいは図示しないがプラグ型コネクタ１２の中心軸線Ｓ２の位置がソケット型コネクタ１１の中心軸線Ｓ１の位置に対して多少ずれた状態であっても、プラグ型コネクタ１２を挿入口１６へ向けて進めると、プラグ型コネクタ１２の先端部分が挿入口１６に設けられている傾斜面１９に接衝し、該傾斜面１９でプラグ挿入用空間１７内側にガイドされ、該プラグ挿入用空間１７に挿入嵌合できる。なお、上記傾斜面１９の傾斜角度は、実験の結果、各側面１３ａ〜１３ｄを基準にして５５度〜６５度の範囲が最も好適であることが判明した。
【００３０】
したがって、この実施の形態の構造では、狭い場所で、かつ、手探りで作業を行うようなときでも、スムーズに作業が実行できるとともに、互いのコネクタにおける先端部分の損傷を無くすことができる。
【００３１】
なお、本発明は、本発明の精神を逸脱しない限り種々の改変を為すことができ、そして、本発明が該改変されたものに及ぶことは当然である。
【図面の簡単な説明】
【００３２】
【図１】本発明を適用したソケット型コネクタにプラグ型のコネクタを結合した状態で示す縦断側面図。
【図２】本発明を適用したソケット型コネクタとプラグ型のコネクタを結合する前の状態で示す縦断側面図。
【図３】本発明を適用したソケット型コネクタとプラグ型のコネクタを結合する前の状態で示す斜視図。
【図４】本発明を適用したソケット型のコネクタの正面図。
【図５】本発明を適用したソケット型コネクタにプラグ型コネクタが傾いた状態で結合するときの動作を説明する縦断側面図。
【図６】従来コネクタの一例を示す縦断側面図。
【符号の説明】
【００３３】
１０            コネクタ
１１            ソケット型コネクタ
１２            プラグ型コネクタ
１３            シールドケース
１３ａ〜１３ｄ  側面
１４            基部
１５            コンタクト
１５ａ          接点部
１５ｂ          端子部
１６            挿入口
１７            プラグ挿入用空間
１８ａ〜１８ｄ  ガイド片
１９            傾斜面
２４            平面板部
３０            プラグ部  
Ｓ１            コネクタソケット部の中心軸線
Ｓ２            コネクタプラグ部の中心軸  
【図１】
2008059858.tif 000003
【図２】
2008059858.tif 000004
【図３】
2008059858.tif 000005
【図４】
2008059858.tif 000006
【図５】
2008059858.tif 000007
【図６】
2008059858.tif 000008